(57)【要約】【課題】臭気捕捉液の液面の上下変動を効果的に抑制し、脱臭効率の低下を抑制可能な脱臭装置を提供する。【解決手段】脱臭処理液を収容する処理槽５１と、処理槽に脱臭対象ガスを導入するガス導入室５３と、脱臭対象ガスと処理槽内の脱臭処理液とを気液混合して脱臭処理する気液混合室５４と、下端から脱臭対象ガスとともに脱臭処理液が気液混合室に巻き上がるように、ガス導入室５３と気液混合室５４とを区画する気液混合仕切壁５２Ｂ，５２Ｄと、脱臭処理後の脱臭対象ガスを処理槽から排出する排気部５１Ｃと、遮断壁５２Ｇにより排気部５１Ｃと液封され、溢流壁５２Ｉを介して脱臭処理後の脱臭処理液を処理槽から溢流させる排液部５１Ｄと、を備えている脱臭装置であって、気液混合仕切壁の下端が溢流壁の上端よりも下方に延設され、ガス導入室５３内で気液混合仕切壁５２Ｂ，５２Ｄより下方に整流機構５５Ａ，５５Ｂを備えている。【選択図】図４
2019084509.tif 000002
【特許請求の範囲】
【請求項１】
脱臭処理液を収容する処理槽と、
前記処理槽に脱臭対象ガスを導入するガス導入室と、
導入された脱臭対象ガスと前記処理槽内の脱臭処理液とを気液混合して脱臭処理する気液混合室と、
下端から脱臭対象ガスとともに脱臭処理液が前記気液混合室に巻き上がるように、前記ガス導入室と前記気液混合室とを区画する気液混合仕切壁と、
脱臭処理後の脱臭対象ガスを前記処理槽から排出する排気部と、
遮断壁により前記排気部と液封され、溢流壁を介して脱臭処理後の脱臭処理液を前記処理槽から溢流させる排液部と、
を備えている脱臭装置であって、
前記気液混合仕切壁の下端が前記溢流壁の上端よりも下方に位置するように延設され、
前記ガス導入室内で前記気液混合仕切壁より下方に整流機構を備えている脱臭装置。
【請求項２】
前記ガス導入室と前記気液混合室を脱臭対象ガスの流れ方向に沿って複数段設け、前記気液混合仕切壁のうち下流側の気液混合仕切壁の下端が上流側の気液混合仕切壁の下端より高位となるように設定され、前記整流機構は各ガス導入室内で前記気液混合仕切壁より下方に設けられている請求項１記載の脱臭装置。
【請求項３】
前記処理槽を構成する壁部のうち、最上流側のガス導入室を構成する側壁または底壁であって前記整流機構より下方に脱臭処理液を供給する給液口を備えている請求項１または２記載の脱臭装置。
【請求項４】
前記整流機構は平坦な板状体で構成され、前記気液混合仕切壁より下方に略水平姿勢に配置されている請求項１から３の何れかに記載の脱臭装置。
【請求項５】
前記整流機構は前記気液混合仕切壁より下方に１２０ｍｍ以上の深い位置に配置されている請求項４記載の脱臭装置。
【請求項６】
前記気液混合室と前記排気部との間に、脱臭処理後の脱臭対象ガスに同伴する飛沫を脱臭処理液の液面に導く飛沫回収案内板を備えている請求項１から５の何れかに記載の脱臭装置。
【請求項７】
前記飛沫回収案内板は、脱臭対象ガスの流れ方向下流側に沿って下方に傾斜する前記ガス導入室及び前記気液混合室の傾斜天板から延出する天板延出部と、前記天板延出部の先端から下方に方向転換する第１鉛直案内壁と、前記第１鉛直案内壁と前記気液混合仕切壁との間に設置された第２鉛直案内壁とで構成されている請求項６記載の脱臭装置。
【請求項８】
前記気液混合仕切壁の下端高さを調整する気液混合仕切壁高さ調整機構を備えている請求項１から７の何れかに記載の脱臭装置。
【請求項９】
前記気液混合仕切壁の下端面に厚み方向に沿う溝部が複数形成されている請求項１から８の何れかに記載の脱臭装置。
【発明の詳細な説明】
【技術分野】
【０００１】
本発明は、スクラバー方式の脱臭装置に関し、例えばし尿処理設備でし尿などを浄化処理する際に生じる悪臭を含む臭気ガスとし尿などの浄化処理で生じる汚泥とを気液混合して脱臭する脱臭装置に関する。
【背景技術】
【０００２】
特許文献１には、被処理気体を臭気捕捉液中に導入する導入部と、被処理気体と臭気捕捉液との気液混合が行われて被処理気体中の臭気が除去される気液混合部とを備えた所謂スクラバー方式の脱臭装置が開示されている。
【０００３】
当該脱臭装置は、臭気捕捉液や被処理気体の脈動を抑えることを目的として、臭気捕捉液を導入部に供給するための液体供給口を、被処理気体と臭気捕捉液との接触面に対向する導入部の底壁に設けた構造が採用されている。
【０００４】
被処理気体の圧力と臭気捕捉液の圧力との均衡を保つことにより装置内の臭気捕捉液の液位の脈動を防止することを企図した構成である。
【先行技術文献】
【特許文献】
【０００５】
【特許文献１】特開２０１５−１９６１１９号公報
【発明の概要】
【発明が解決しようとする課題】
【０００６】
しかし、特許文献１に開示された脱臭装置でも、装置内に導かれる被処理気体の圧力を常時一定に維持するのは困難であり、多少の揺らぎが生じるのは避け得ないのであり、同様に装置内に導かれる臭気捕捉液の多少の流入圧の変動も避け得ない状況で、両圧力のバランスを保つのは非常に困難であることが判明した。
【０００７】
両圧力のバランスが崩れて液面が上下に大きく変動する結果、良好な気液混合が行なえずに脱臭効率が低下するばかりでなく、液面の変動に起因して装置や付帯設備に振動が生じるという問題があった。特に被処理気体である臭気ガスを装置に導く送風ファンに大きな負荷変動が生じ、また送風ダクトに大きな機械的振動が生じるため、それら付帯設備の破損を招く虞もあった。
【０００８】
本発明の目的は、上述した問題点に鑑み、臭気捕捉液の液面の上下変動を効果的に抑制し、脱臭効率の低下を抑制可能な脱臭装置を提供する点にある。
【課題を解決するための手段】
【０００９】
上述の目的を達成するため、本発明による脱臭装置の第一の特徴構成は、特許請求の範囲の書類の請求項１に記載した通り、脱臭処理液を収容する処理槽と、前記処理槽に脱臭対象ガスを導入するガス導入室と、導入された脱臭対象ガスと前記処理液内の脱臭処理液とを気液混合して脱臭処理する気液混合室と、下端から脱臭対象ガスとともに脱臭処理液が前記気液混合室に巻き上がるように、前記ガス導入室と前記気液混合室とを区画する気液混合仕切壁と、脱臭処理後の脱臭対象ガスを前記処理槽から排出する排気部と、遮断壁により前記排気部と液封され、溢流壁を介して脱臭処理後の脱臭処理液を前記処理槽から溢流させる排液部と、を備えている脱臭装置であって、前記気液混合仕切壁の下端が前記溢流壁の上端よりも下方に位置するように延設され、前記ガス導入室内で前記気液混合仕切壁より下方に整流機構を備えている点にある。
【００１０】
処理槽に収容された脱臭処理液の容量が大きく変動しない状況下で、脱臭対象ガスの圧力によってガス導入室側の液面が下降すると、気液混合室の液面が相対的に上昇して気液混合室側の水頭が相対的に上昇し、気液混合室側の水頭が上昇するとガス導入室側の液面を上昇させる圧力が作用する。このような現象が周期的に繰り返し発生すると、ガス導入室側の液面が継続的に大きく上下変動し、気液混合室での良好な気液混合が行なわれなくなり脱臭効率が大きく低下する虞がある。
【００１１】
しかし、ガス導入室側の液面が下降する際に、ガス導入室内で気液混合仕切壁の下端より深い位置に配された整流機構により脱臭処理液が液面に沿う横方向に整流されるので、気液混合室で液面を押し上げるような脱臭処理液への圧力の伝達が抑制されるようになる。
【００１２】
同第二の特徴構成は、同請求項２に記載した通り、上述の第一の特徴構成に加えて、前記ガス導入室と前記気液混合室を脱臭対象ガスの流れ方向に沿って複数段設け、前記気液混合仕切壁のうち下流側の気液混合仕切壁の下端が上流側の気液混合仕切壁の下端より高位となるように設定され、前記整流機構は各ガス導入室内で前記気液混合仕切壁より下方に設けられている点にある。
【００１３】
ガス導入室と気液混合室を脱臭対象ガスの流れ方向に沿って複数段設けることにより、スクラビングの機会が増して脱臭効率を向上させることができる。この様な構成を採用すると、脱臭対象ガスの流れ方向に沿って下流側に位置するガス導入室ほど脱臭対象ガスの圧力が低下して液面が上昇することになる。そのような場合でも、下流側の気液混合仕切壁の下端が上流側の気液混合仕切壁の下端より高位となるように設定されていれば、下流側の気液混合室でも良好なスクラビング処理が行なえるようになる。
【００１４】
同第三の特徴構成は、同請求項３に記載した通り、上述の第二の特徴構成に加えて、前記処理槽を構成する壁部のうち、最上流側のガス導入室を構成する側壁または底壁であって前記整流機構より下方に脱臭処理液を供給する給液口を備えている点にある。
【００１５】
給液口から供給される脱臭処理液の圧力に変動があっても、整流機構によって圧力変動の気液混合室側の液面への伝達が緩衝され、液面の上下変動が抑制される。
【００１６】
同第四の特徴構成は、同請求項４に記載した通り、上述の第一から第三の何れかの特徴構成に加えて、前記整流機構は平坦な板状体で構成され、前記気液混合仕切壁より下方に略水平姿勢に配置されている点にある。
【００１７】
気液混合仕切壁より下方に平坦な板状体を略水平姿勢に配することにより、ガス導入室または気液混合室の液面の上下変動が効果的に抑制され、ガス導入室側の液面が上昇する際に整流機構より下方に存在する脱臭処理液への液面を押し上げる方向の圧力の伝達が抑制されるようになる。
【００１８】
同第五の特徴構成は、同請求項５に記載した通り、上述の第四の特徴構成に加えて、前記整流機構は前記気液混合仕切壁より下方に１２０ｍｍ以上の深い位置に配置されている点にある。
【００１９】
気液混合仕切壁の下端から１２０ｍｍ以上の深い位置に配置されていると、液面の上下変動がより効果的に抑制される。
【００２０】
同第六の特徴構成は、同請求項６に記載した通り、上述の第一から第五の何れかの特徴構成に加えて、前記気液混合室と前記排気部との間に、脱臭処理後の脱臭対象ガスに同伴する飛沫を脱臭処理液の液面に導く飛沫回収案内板を備えている点にある。
【００２１】
気液混合室で気液混合されて脱臭処理された脱臭対象ガスに同伴する飛沫が飛沫回収案内板によって脱臭処理液の液面に導かれて脱臭処理液に回収されるようになり、脱臭対象ガスの排気流路に飛沫が付着堆積することによる汚れが抑制され、流路が閉塞するような事態の発生が回避できるようになる。
【００２２】
同第七の特徴構成は、同請求項７に記載した通り、上述の第六の特徴構成に加えて、前記飛沫回収案内板は、脱臭対象ガスの流れ方向下流側に沿って下方に傾斜する前記ガス導入室及び前記気液混合室の傾斜天板から延出する天板延出部と、前記天板延出部の先端から下方に方向転換する第１鉛直案内壁と、前記第１鉛直案内壁と前記気液混合仕切壁との間に設置された第２鉛直案内壁とで構成されている点にある。
【００２３】
天板延出部と、天板延出部の先端から下方に方向転換する第１鉛直案内壁と、第１鉛直案内壁と気液混合仕切壁との間に設置された第２鉛直案内壁によって、気液混合室から上方に流出する脱臭対象ガスが脱臭処理液側に向くＵターン流路となり、効果的に飛沫が回収されるようになる。
【００２４】
同第八の特徴構成は、同請求項８に記載した通り、上述の第一から第七の何れかの特徴構成に加えて、前記気液混合仕切壁の下端高さを調整する気液混合仕切壁高さ調整機構を備えている点にある。
【００２５】
気液混合仕切壁の高さを適切に調整することで、ガス導入室と気液混合室の差圧を調整でき、その結果、気液混合室での液の巻き上がり具合を調整でき、気液混合効率つまり脱臭効率を最大限調整することができる。
【００２６】
同第九の特徴構成は、同請求項９に記載した通り、上述の第一から第八の何れかの特徴構成に加えて、前記気液混合仕切壁の下端面に厚み方向に沿う溝部が複数形成されている点にある。
【００２７】
気液混合仕切壁の下端面長手方向の姿勢が液面に対して僅かに傾斜すると、均質なスクラビングが阻害され、気液混合仕切壁の下端面と液面との間隙の大きい領域から脱臭対象ガスが漏洩する虞がある。しかし、気液混合仕切壁の下端面に厚み方向に沿う溝部が複数形成されていれば、気液混合仕切壁の下端面長手方向に沿って各溝部から脱臭対象ガスが均等に流下して、均質なスクラビングが可能になる。
【発明の効果】
【００２８】
以上説明した通り、本発明によれば、臭気捕捉液の液面の上下変動を効果的に抑制し、脱臭効率の低下を抑制可能な脱臭装置を提供することができるようになった。
【図面の簡単な説明】
【００２９】
【図１】本発明による脱臭装置が組み込まれたし尿処理施設の説明図
【図２】（ａ），（ｂ）は非稼働時の脱臭装置の断面図
【図３】（ａ），（ｂ）は気液混合仕切壁の説明図
【図４】図２（ａ）に対応した脱臭装置の脱臭処理過程の説明図
【図５】図２（ｂ）に対応した脱臭装置の脱臭処理過程の説明図
【図６】（ａ），（ｂ）は別実施形態を示した脱臭装置の説明図
【発明を実施するための形態】
【００３０】
以下、図面を参照して本発明による脱臭装置を説明する。
図１に示すように、脱臭装置５０は高負荷脱窒素処理方式が採用されたし尿処理施設１に組み込まれている。以下、脱臭装置５０の説明に先立ち、し尿処理施設１を概説する。
【００３１】
し尿処理施設１は、搬入されたし尿や浄化槽汚泥を受け入れて前処理する前処理設備２、前処理されたし尿などを生物処理によって浄化する生物処理設備３、生物処理された後の被処理水を放流に適した状態に後処理する後処理設備４、生物処理などで発生した余剰汚泥などを処理する汚泥処理設備５などを備えている。
【００３２】
前処理設備２は、受入槽２Ａと貯留槽２Ｃと予備貯留槽２Ｄを備え、受入槽２Ａと貯留槽２Ｃの間に前処理装置２Ｂが設置されている。
【００３３】
し尿収集車両等によって搬入されたし尿等の汚水は、先ず受入槽２Ａに投入され、カッター付きポンプによって固形物が粉砕されながら、前処理装置２Ｂに送られ、その後、生物処理に適さないし渣等の固形異物が前処理装置２Ｂによって除去された後、貯留槽２Ｃまたは予備として設けられた予備貯留槽２Ｄに貯留される。
【００３４】
そして、貯留槽２Ｃに貯留された汚水は、ポンプによって生物処理設備３に送水される。生物処理設備３には、例えば深層反応槽３Ａ、硝化槽３Ｂ、二次脱窒素槽３Ｃ、膜分離槽３Ｄ、返送汚泥槽３Ｅなどが順に設置されている。
【００３５】
貯留槽２Ｃから送水される汚水は、先ず深層反応槽３Ａに導かれる。深層反応槽３Ａは１０ｍ程度の深さの生物処理槽で、その上部に循環ポンプ槽３ａが連設されている。循環ポンプ槽３ａからポンプ３ｄで引き抜かれた一部の汚水が深層反応槽３Ａに循環供給され、その循環経路にエジェクタ機構が組み込まれて循環汚水と共に空気が供給されるように構成されている。
【００３６】
エジェクタ機構に連通する空気供給経路にバルブが設置され、バルブの開度を周期的に制御することにより、循環汚水と共に供給される空気量が調整され、深層反応槽３Ａ内で脱窒素処理に適した無酸素状態と硝化処理に適した好気状態とが数時間間隔で切り替え可能に構成されている。例えば、１時間の嫌気処理と２時間の好気処理を繰り返すようにバルブが開閉され、嫌気処理と好気処理が３時間程度の周期で繰り返される。
【００３７】
深層反応槽３Ａは、槽底付近で水圧が高く酸素の溶存効率が高くなり、高効率の処理ができる。そのため、流入する汚水の負荷が高くても希釈水を供給する必要は無い。つまり、深層反応槽３Ａは硝化脱窒素処理装置として機能する。
【００３８】
深層反応槽３Ａで嫌気処理と好気処理が繰り返された汚水は、その後、硝化槽３Ｂに移送されて硝化処理される。好気状態に維持される硝化槽３Ｂでは、好気性微生物によってアンモニアが硝化、つまり硝酸イオン及び亜硝酸イオンに分解される。
【００３９】
硝化槽３Ｂで硝化処理された汚水は、二次脱窒素槽３Ｃに供給される。嫌気状態に維持される二次脱窒素槽３Ｃでは、脱窒素処理、つまり硝酸イオン及び亜硝酸イオンが、嫌気性微生物によって窒素に還元されて脱気される。
【００４０】
二次脱窒素槽３Ｃで脱窒素処理された汚水は、その後、膜分離槽３Ｄに移送される。膜分離槽３Ｄには、膜分離装置３Ｆが浸漬設置されており、槽内の汚水は膜分離装置３Ｆに接続されたポンプで吸引され、膜分離装置３Ｆによって固液分離された被処理水が、後処理設備４に送水される。
【００４１】
後処理設備４には、混和槽４Ａと凝集槽４Ｂと凝集膜分離槽４Ｃが設置されている。膜分離装置３Ｆによって固液分離された被処理水には、コロイド状の微細な浮遊物質が固液分離されずに残存している。そのため、後処理設備４に送水された被処理水には、まず鉄系無機凝集剤が添加されて混和槽４Ａで混和され、苛性ソーダ等の添加によりｐＨ調整された凝集槽４Ｂに送水されて凝集処理される。
【００４２】
その後、凝集膜分離槽４Ｃで膜分離され、高度処理設備６に送られる。高度処理設備６に送られた被処理水は、例えば活性炭吸着処理によりＣＯＤや着色成分が吸着除去され、さらに次亜塩素酸等によって滅菌された後に、河川等に放流される。なお、凝集汚泥は汚泥処理設備５に送られ、余剰汚泥とともに処理される。
【００４３】
生物処理設備３の膜分離槽３Ｄに溜まった汚泥は、返送汚泥槽３Ｅに送られた後、その一部がポンプによって汚泥返送路３ｂ，３ｃを介して深層反応槽３Ａの循環ポンプ槽３ａに返送され、余剰汚泥は汚泥脱水設備５Ａに送られる。
【００４４】
汚泥脱水設備５Ａに送られた余剰汚泥や、前処理後に固液分離された浄化槽汚泥の固形分は、鉄系無機凝集剤や高分子凝集剤等の凝集剤が添加された後に脱水処理され、脱水された汚泥が有機性汚泥として発酵設備３０に投入される。ブロワーファン２１により送風された外気がヒータ２２により加熱されて発酵設備３０に供給され、有機性汚泥がコンポスト化される。
【００４５】
前処理設備２で生じる臭気ガス及び発酵設備３０で生じる粉塵が混入した臭気ガスが高濃度の脱臭対象ガスとしてそれぞれブロワーファンを介して脱臭装置５０に供給され、返送汚泥槽３Ｅから汚泥返送路３ｂを介して深層反応槽３Ａに返送される汚泥が脱臭処理液として脱臭装置５０に供給されるように構成されている。そして、脱臭装置５０で脱臭処理液に捕捉された臭気ガス成分であるアンモニアが脱臭処理液とともに深層反応槽３Ａに返送されて硝化脱窒素処理される。
【００４６】
脱臭装置５０で気液接触して脱臭された被処理ガスは、生物処理設備３で生じた他の中濃度臭気ガスとともに中濃度脱臭塔８０及び活性炭吸着塔９０を経て大気開放される。
【００４７】
以下、脱臭装置５０について詳述する。
図２（ａ），（ｂ）には脱臭装置５０の断面が示されている。図中、実線で示した水面は非稼働時の水面であり、脱臭処理時の水面は破線で示されている。当該脱臭装置５０は、所謂スクラバー方式の脱臭装置５０で、耐食金属製または樹脂製の底壁ＢＷと上壁ＣＷと前後左右の側壁ＳＷによって脱臭処理空間が区画され、当該脱臭処理空間内部に設けられた耐食金属製または樹脂製の複数の仕切壁５２（５２Ａ，５２Ｅ，５２Ｇ，５２Ｈ）によって、当該脱臭処理空間が脱臭処理部５１Ａ、飛沫除去部５１Ｂ、排気部５１Ｃ、排液部５１Ｄに領域区画されている。
【００４８】
左側壁ＬＳＷの上下中央部から延出し右側壁ＲＳＷに向けて斜め下方に傾斜配置された仕切壁５２Ａ，５２Ｈによって下方に位置する脱臭処理部５１Ａと上方に位置する排気部５１Ｃに領域区画され、鉛直姿勢に配置された仕切壁５２Ｅによって左方に位置する脱臭処理部５１Ａと右方に位置する飛沫除去部５１Ｂに領域区画され、仕切壁５２Ｇによって左方に位置する飛沫除去部５１Ｂと右方に位置する排液部５１Ｄに領域区画されている。
【００４９】
脱臭処理空間のうち脱臭処理液が貯留される脱臭処理部５１Ａ、飛沫除去部５１Ｂ及び排液部５１Ｄを構成する部位が処理槽５１となる。
【００５０】
左側壁ＬＳＷのうち仕切壁５２Ａとの当接部位より下方位置に脱臭対象ガスを投入する給気口Ｇ１が形成され、排気部５１Ｃの下流側に位置する上壁ＣＷに排気口Ｇ２が形成されている。また、底壁ＢＷのうち左側壁ＬＳＷ側に脱臭処理液を供給する給液口Ｌ１が形成され、排液部５１Ｄの下部に脱臭処理後の脱臭処理液を排出する排液口Ｌ２が形成されている。さらに、給液口Ｌ１と排液口Ｌ２との中間位置にはメンテナンス時などに脱臭処理液を処理槽５１内から排出するためのドレン口Ｌ３が形成されている。ドレン口Ｌ３にはドレンバルブが配されている。
【００５１】
脱臭処理部５１Ａには、左側壁ＬＳＷから順に４枚の仕切壁５２Ｂ，５２Ｃ，５２Ｄ，５２Ｅが鉛直姿勢となるように設置されている。給液口Ｌ１から処理槽５１内に注入された脱臭処理液が通流可能なように、各仕切壁５２Ｂ，５２Ｃ，５２Ｄ，５２Ｅ，５２Ｇの下端と底壁ＢＷとの間には隙間が形成されている。
【００５２】
各仕切壁５２Ｂ，５２Ｃ，５２Ｄ，５２Ｅ，５２Ｇは幅方向両端部（図中、手前側端部及び奥行側端部）が手前側及び奥行側の両側壁ＳＷに当接するように設置され、仕切壁５２Ｂ，５２Ｄは仕切壁５２Ａから下方に延出するように配され、仕切壁５２Ｃ，５２Ｅは仕切壁５２Ａとの間に隙間が形成されるように配されている。また、仕切壁５２Ｇの上端は排気部５１Ｃを流れる脱臭対象ガスが排液部５１Ｄに流入しないように右側壁ＲＳＷに当接固定され、仕切壁５２Ｇの下端は脱臭処理液で液封されている。
【００５３】
左側壁ＬＳＷと仕切壁５２Ａ及び仕切壁５２Ｂ（仕切壁５２Ｂから底壁ＢＷへの仮想延出壁を含む）で区画される空間、及び、仕切壁５２Ｃと仕切壁５２Ａ及び仕切壁５２Ｄ（仕切壁５２Ｄから底壁ＢＷへの仮想延出壁を含む）で区画される空間がそれぞれガス導入室５３となり、仕切壁５２Ｂと仕切壁５２Ａ及び仕切壁５２Ｃ（仕切壁５２Ｃから仕切壁５２Ａへの仮想延出壁を含む）で区画される空間、及び、仕切壁５２Ｄと仕切壁５２Ａ及び仕切壁５２Ｅ（仕切壁５２Ｅから仕切壁５２Ａへの仮想延出壁を含む）で区画される空間がそれぞれ気液混合室５４となる。
【００５４】
排液部５１Ｄには鉛直姿勢の溢流壁５２Ｉが設けられ、仕切壁５２Ｇの下端から流入する脱臭処理後の脱臭処理液が溢流壁５２Ｉを溢流した後に排液口Ｌ２から排液される。
【００５５】
排液部５１Ｄには溢流壁５２Ｉによる溢流高さを調整する溢流高さ調整機構が設けられ、給液口Ｌ１から流入し処理槽５１に貯留される脱臭処理液の液量を調整可能に構成されている。
【００５６】
溢流高さ調整機構は、底壁ＢＷに立設された基部５６Ｃと基部５６Ｃの幅方向に隔てた二箇所に形成された取付孔と、当該取付孔と溢流壁５２Ｉに形成された上下方向の長孔を固定するボルト及びナットでなる締結機構で構成され、長孔に沿って溢流壁５２Ｉの取付位置を調整することにより上下高さが調整される。なお、基部５６Ｃと溢流壁５２Ｉはともに両端部（図中、手前側端部及び奥行側端部）が手前側及び奥行側の両側壁ＳＷに当接するように設置されている。
【００５７】
また、溢流高さ調整機構により調整された溢流高さより低位となるように気液混合仕切壁５２Ｂ，５２Ｄの下端高さを調整する気液混合仕切壁高さ調整機構を備えている。
【００５８】
気液混合仕切壁高さ調整機構も溢流高さ調整機構と同様の構成が採用され、図３（ａ），（ｂ）に示すように、仕切壁５２Ａに立設された基部５６Ａ，５６Ｂと基部５６Ａ，５６Ｂの幅方向に隔てた二箇所に形成された取付孔Ｈ１と、当該長孔Ｈ１と気液混合仕切壁５２Ｂ，５２Ｄに形成された上下方向の長孔Ｈ２とを固定するボルト及びナットでなる締結機構Ｆで構成され、長孔Ｈ２に沿って気液混合仕切壁５２Ｂ，５２Ｄの取付位置を調整することにより上下高さが調整される。
【００５９】
溢流高さ調整機構により溢流壁５２Ｉの高さを上下調節することにより、処理槽５１に貯留される脱臭処理液の容量が、脱臭対象ガスの臭気濃度に対応した適量に調整され、装置全体の差圧を調整することができ、脱臭対象ガスの濃度に対応した装置全体の液の巻き上がり量を調整することができる。その調整量に応じて気液混合仕切壁高さ調整機構により気液混合仕切壁５２Ｂ，５２Ｄの下端高さが適切に調整される。
【００６０】
即ち、脱臭対象ガスの臭気濃度が高い場合には、溢流壁５２Ｉの高さを上方に調節して処理槽５１に貯留される脱臭処理液の容量を増し、それに応じて液面が上下に脈動することなく適切に気液混合されるように気液混合仕切壁５２Ｂ，５２Ｄの下端高さを調整し、脱臭対象ガスの臭気濃度が低い場合には、溢流壁５２Ｉの高さを下方に調節して処理槽５１に貯留される脱臭処理液の容量を減らし、応じて液面が上下に脈動することなく適切に気液混合されるように気液混合仕切壁５２Ｂ，５２Ｄの下端高さを調整する。
【００６１】
気液混合仕切壁５２Ｂ，５２Ｄの下端高さを適切に調整することで、ガス導入室５３と気液混合室５４の差圧を調整でき、その結果、気液混合室５４での液の巻き上がり具合を調整でき、気液混合効率つまり脱臭効率を最大限調整することができる。なお、主に下流側の気液混合仕切壁５２Ｄの高さ調節により液面の脈動を効果的に低減できる。
【００６２】
気液混合室５４で十分な量の脱臭処理液が巻き上がる良好な気液混合状態では、脱臭処理時の前段のガス導入室５３の圧力ＰＡと、初段の気液混合室５４及び後段のガス導入室５３の圧力ＰＢと、後段の気液混合室５４及び排気部５１Ｃの圧力ＰＣとの間に、ＰＡ−ＰＢ＝ＰＢ−ＰＣの関係が成立する。なお、圧力ＰＡは臭気ガスを装置に導く送風ファンによる押込み圧力で、ある程度変動する値であり、圧力ＰＣは脱臭後処理ガスが装置から放出される大気圧または吸引用ブロワーファンによる吸引圧力であり、ほぼ一定値である。
【００６３】
気液混合仕切壁５２Ｂの下端高さを調整することにより、前段のガス導入室５３の圧力ＰＡを安定な値に調整することができ、その後にＰＡ−ＰＢ＝ＰＢ−ＰＣの関係になるように気液混合仕切壁５２Ｄの下端高さを調整することにより、良好な気液混合状態が得られるようになる。
【００６４】
気液混合仕切壁５２Ｄの下端高さが適正であるか否かは、前後の気液混合室５４，５４の脱臭処理液の巻き上り状態を目視確認し、或いは圧力計を用いて圧力ＰＡ，ＰＢ，ＰＣの値を計測した値に基づいて判断することができる。
【００６５】
図２（ａ）は、脱臭対象ガスの臭気濃度が高い場合に、溢流高さ調整機構により溢流壁５２Ｉが高い位置に調整され、処理槽５１に貯留される脱臭処理液の液量が多く調整された場合が示され、図２（ｂ）は、脱臭対象ガスの臭気濃度が低い場合に、溢流高さ調整機構により溢流壁５２Ｉが低い位置に調整され、処理槽５１に貯留される脱臭処理液の液量が少なく調整された場合が示されている。
【００６６】
脱臭対象ガスの臭気濃度に応じて溢流高さ調整機構により溢流壁５２Ｉの高さが調整され、気液混合仕切壁高さ調整機構により気液混合仕切壁５２Ｂ，５２Ｄの下端高さが調整された後に、給気口Ｇ１から脱臭対象ガスが供給されて脱臭処理が行なわれる。図２（ａ）の状態で脱臭対象ガスが供給された場合を図４に示し、図２（ｂ）の状態で脱臭対象ガスが供給された場合を図５に示す。
【００６７】
図４及び図５に示すように、処理槽５１内に脱臭処理液が貯留された状態で、給気口Ｇ１から上流側のガス導入室５３に脱臭対象ガスが圧入されると、脱臭対象ガスは脱臭処理液の液面つまり気液境界面を押し下げて、仕切壁５２Ｂの下端から脱臭処理液とともに上流側の気液混合室５４に巻き上がる。
【００６８】
このとき、気液混合室５４では、脱臭対象ガスによって小さな水滴となって巻き上げられた脱臭処理液と脱臭対象ガスとの接触が促進されて効率的に気液混合され、脱臭対象ガス中の臭気成分、水蒸気、微粒子などが脱臭処理液に捕捉されることにより脱臭処理される。
【００６９】
さらに、上流側の気液混合室５４から水滴となった脱臭処理液を伴って脱臭対象ガスが下流側のガス導入室５３に導かれると、同様に脱臭対象ガスが脱臭処理液の液面を押し下げて仕切壁５２Ｄの下端から脱臭処理液とともに下流側の気液混合室５４に巻き上がり、上述と同様にして再度脱臭処理される。即ち、仕切壁５２Ｂ，５２Ｄがガス導入室５３と気液混合室５４とを区画する気液混合仕切壁５２Ｂ，５２Ｄとなる。
【００７０】
図３（ａ），（ｂ）に示すように、気液混合仕切壁５２Ｂ，５２Ｄの下端面５２０には、厚み方向に沿う方向に複数の溝部５２１が形成され、下端面５２０が水平姿勢から僅かに傾斜姿勢となるような場合でも、幅方向に沿って均質なスクラビングが実現されるように構成されている。
【００７１】
気液混合仕切壁５２Ｂ，５２Ｄの下端面５２０が平坦な形状であれば、下端面５２０の長手方向の姿勢が水平な液面に対して僅かに傾斜すると、下端面５２０と液面との間隙の大きい領域から脱臭対象ガスが漏洩して均質なスクラビングが損なわれ脱臭効率が低下する虞があるためである。
【００７２】
図３（ａ），（ｂ）では、溝部５２１の形状が気液混合仕切壁５２Ｂ，５２Ｄの厚み方向に沿って直線状に形成されているが、脱臭対象ガスが液混合仕切壁５２Ｂ，５２Ｄの幅方向に沿って均質に通流するような溝部であれば、その形状は特に限定されることはない。また、溝の深さも特に限定されるものではない。例えば、気液混合仕切壁５２Ｂ，５２Ｄの下端面５２０がランダムな凹凸形状に加工され、凹部が連なって溝部が形成されるような構造であってもよい。
【００７３】
図４及び図５に戻り、気液混合室５４で脱臭処理された脱臭対象ガスは、飛沫除去部５１Ｂ及び排気部５１Ｃを通過して排気口Ｇ２から外部空間に排気される。飛沫除去部５１Ｂには、天板延出部５２Ｈと、第１鉛直案内壁５２Ｆと、第２鉛直案内壁としての仕切壁５２Ｅを備えている。
【００７４】
天板延出部５２Ｈは給気口Ｇ１の上部から下方に傾斜する傾斜天板である仕切壁５２Ａの先端に延出形成され、第１鉛直案内壁５２Ｆは天板延出部５２Ｈの先端から鉛直下方に１００ｍｍ程度延出するように設置され、第２鉛直案内壁５２Ｅは第１鉛直案内壁５２Ｆと気液混合仕切壁５２Ｄとの間に設置されている。
【００７５】
下流側の気液混合室５４で気液混合され、脱臭処理液の飛沫を伴った脱臭対象ガスが、天板延出部５２Ｈと第１鉛直案内壁５２Ｆと第２鉛直案内壁５２Ｅで構成されるＵターン流路に沿って上方から脱臭処理液の液面に向って流れる際に、各壁面に衝突して飛沫が付着し、或いは脱臭処理液に向って飛沫が落下することにより効率的に飛沫が回収される。
【００７６】
その結果、脱臭対象ガスの排気流路となる排気部５１Ｃに付着堆積する飛沫の量が低減され、汚れによる流路の閉塞などの不都合な事態の発生を回避できるようになる。なお、飛沫除去部５１Ｂとして第２鉛直案内壁５２Ｅを備えていない場合でも、飛沫を伴う脱臭対象ガスが第１鉛直案内壁５２Ｆに衝突することにより、相当程度の飛沫回収が可能になることは言うまでもない。
【００７７】
飛沫除去部５１Ｂを通過した脱臭対象ガスは、仕切壁５２Ａ及び天板延出部５２Ｈと傾斜壁５２Ｊで構成されるＵターン流路を経て排気口Ｇ２から外部空間に排気される。
【００７８】
仕切壁５２Ａ及び天板延出部５２Ｈは、水平面に対して先端側が５°〜８°下方に傾斜するように直線状に延出形成され、その上方に右側壁ＲＳＷから左側壁に向って下方に延びるように先端側が５°〜８°下方に傾斜する傾斜壁５２Ｊが形成されている。
【００７９】
処理槽５１へ収容される脱臭処理液の流入量が大きく変動しない状況下で、脱臭対象ガスの圧力によってガス導入室５３側の液面が下降すると、気液混合室５４の液面が相対的に上昇して気液混合室５４側の液面上昇により相対的に水頭が上がり、気液混合室５４側の水頭が上昇するとガス導入室５３側の液面を上昇させる圧力が作用する。このような現象が周期的に繰り返し発生すると、ガス導入室側の液面が継続的に大きく上下変動する脈動が生じて、気液混合室５４での脱臭処理液の飛沫状の巻き上がりが少なくなったり、ガスが気液混合仕切壁の下部からショートパスしたりして良好な気液混合が行なわれず、脱臭効率が大きく低下する虞がある。
【００８０】
そこで、脱臭処理中のガス導入室５３の液面の下方であって、気液混合仕切壁５２Ｂ，５２Ｄの下端より深い位置に整流機構５５が設けられている。当該整流機構５５は、液面と略平行姿勢に配された平坦な板状の整流板５５Ａ，５５Ｂで構成されている。当該整流板５５Ａ，５５Ｂは、各ガス導入室５３の左右幅と略同一幅に形成され、処理槽５１の奥行き方向に沿って全域に配置されるように両端部が手前側及び奥行側の両側壁ＳＷに当接するように設置されている。
【００８１】
整流板５５Ａ，５５Ｂは、気液混合仕切壁５２Ｂ，５２Ｄの下端より１２０ｍｍ以上の深さ位置で水没するように設置されていることが好ましい。さらには、気液混合仕切壁５２Ｂ，５２Ｄの下端より１３０ｍｍの深さ、少なくとも１３０±１０ｍｍの深さの範囲に配置されていることがより好ましく、ガス導入室５３の液面の上下変動が効果的に抑制されるようになる。
【００８２】
本実施形態では、処理槽５１の底部から気液混合仕切壁５２Ｂの下端までの距離Ｄ１が２５０ｍｍに設定されており、整流板５５Ａは処理槽５１の底部から気液混合仕切壁５２Ｂの下端までの距離の４８％の深さＤ２、少なくとも４８±４％の深さの範囲に設定されていることが好ましい（図２（ａ）参照。）。
【００８３】
また、処理槽５１の底部から気液混合仕切壁５２Ｄの下端までの距離Ｄ３が３９５ｍｍに設定され、整流板５５Ｂは処理槽５１の底部から気液混合仕切壁５２Ｄの下端までの距離の６７％の深さＤ４、少なくとも６７±２．５％深さの範囲に設定されていることが好ましい（図２（ａ）参照。）。
【００８４】
整流機構５５を設けることにより、各のガス導入室５３側の液面が下降する際に、ガス導入室５３内で気液混合仕切壁５２Ｂ，５２Ｄの各下端より深い位置に配された整流機構５５により脱臭処理液及び脱臭対象ガスが液面に沿う横方向に整流されるので、各気液混合室５４で液面を押し上げるような脱臭処理液への圧力の伝達が抑制されるようになる。なお、整流機構５５が気液混合仕切壁５２Ｂ，５２Ｄの鉛直下方よりも下流の気液混合室５４側に延出し過ぎると、気液混合室５４全体での脱臭が上手くいかなくなり、脱臭効率が低下する。
【００８５】
整流機構５５として整流板５５Ａ，５５Ｂを設ける場合には、ガス導入室５３側の液面が脱臭対象ガスの圧力によって押し下げられる際に整流板５５Ａ，５５Ｂより下方に存在する脱臭処理液への圧力の伝達が抑制され、また反対に脱臭処理液の圧力によってガス導入室５３側の液面が上昇する際に整流板５５Ａ，５５Ｂより下方に存在する脱臭処理液への圧力の伝達が抑制されるようになる。整流板５５Ａ，５５Ｂより下方に存在する脱臭処理液が、ガス導入室５３または気液混合室５４の液面を上昇または下降させる圧力の伝達を抑制する緩衝層として機能する結果、ガス導入室５３または気液混合室５４の液面の上下変動が効果的に抑制されるようになる。
【００８６】
また、本実施形態のように、ガス導入室５３と気液混合室５４を脱臭対象ガスの流れ方向に沿って二段以上の複数段設ける場合には、気液混合仕切壁５２Ｂ，５２Ｄのうち下流側の気液混合仕切壁５２Ｄの下端が上流側の気液混合仕切壁５２Ｂの下端より一定距離以上高位となるように設定され、整流板５５Ａ，５５Ｂが各ガス導入室５３の液面の下方に設けられることが好ましい。
【００８７】
ガス導入室５３と気液混合室５４を脱臭対象ガスの流れ方向に沿って複数段設けることにより、スクラビングの機会が増して脱臭効率を向上させることができるようになる。この様な構成を採用すると、脱臭対象ガスの流れ方向に沿って下流側に位置するガス導入室ほど脱臭対象ガスの圧力が低下して液面が上昇することになる。
【００８８】
そのような場合でも、気液混合仕切壁高さ調整機構により気液混合仕切壁５２Ｂ，５２Ｄの下端高さが適切に調整される結果、それぞれのガス導入室と気液混合室の差圧が略同一になり、それぞれの気液混合室での液の巻き上がり具合が等しくなり、それぞれの気液混合効率つまり脱臭効率を最大限にでき、装置全体の脱臭効率を最大限にできる。そして、下流側の気液混合仕切壁５２Ｄの下端が上流側の気液混合仕切壁５２Ｂの下端より一定距離以上高位となるように設定されていれば、下流側の気液混合室５３でも良好なスクラビング処理が行なえるようになる。
【００８９】
既に図４及び図５に示した様に、給液口Ｌ１は、処理槽５１を構成する壁部のうち、最上流側のガス導入室５３に対向する左側壁ＬＳＷまたは底壁ＢＷであって整流板５５Ａより下方に備えている。そのため、給液口Ｌ１から供給される脱臭処理液の圧力に変動があっても、整流板５５Ａによって圧力変動の液面への伝達が緩衝され、液面の上下変動が抑制される。
【００９０】
上述した脱臭装置５０の給気口Ｇ１から２２０±２０ｍｍＡｑ、２８ｍ３／分の脱臭対象ガスを流入させた場合に、整流板５５Ａ，５５Ｂを設けていない場合には最大１１ｍｍの液面の上下変動が生じるが、整流板５５Ａ，５５Ｂを設けることにより８０％程度低減した約２ｍｍ程度の液面の上下変動に抑制でき、圧損も１４％程度低減した１９９ｍｍＡｑに抑制でき、良好なスクラビング処理が実現できることが判明している。その結果、脱臭装置５０、ブロワーファン、ダクトなどに振動によるダメージが生じる虞も無くなった。
【００９１】
図６（ａ），（ｂ）には脱臭装置５０の別実施形態が示されている。
図６（ａ）は、排気部５１Ｃに傾斜壁５２Ｊが無く、飛沫除去部５１Ｂを通過した脱臭対象ガスが、仕切壁５２Ａ及び天板延出部５２Ｈと上壁ＣＷとの間の流路を経て上壁ＣＷの左側端部に備えた排気口Ｇ２から外部空間に排気されるように構成された例である。
【００９２】
図６（ｂ）は、脱臭処理部５１Ａが単一のガス導入室５３と気液混合室５４で構成された例である。
【００９３】
上述した実施形態では、気液混合室と排気部との間に、脱臭処理後の脱臭対象ガスに同伴する飛沫を脱臭処理液の液面に導く飛沫回収案内板を備えた構成を説明したが、気液混合室で気液混合されて脱臭処理された脱臭対象ガスに同伴する飛沫の回収目的に絞れば、脱臭装置に飛沫回収案内板を備えていれば十分であり、上述した整流板５５Ａ，５５Ｂを備えていない脱臭装置であってもよいし、また気液混合仕切壁高さ調整機構を備えていない脱臭装置であってもよい。
【００９４】
上述した実施形態では、気液混合仕切壁の下端高さを調整する気液混合仕切壁高さ調整機構を備えた構成を説明したが、気液混合室での液の巻き上がり具合を調整して気液混合効率を高める目的に絞れば、脱臭装置に気液混合仕切壁高さ調整機構を備えていれば十分であり、上述した整流板５５Ａ，５５Ｂを備えていない脱臭装置であってもよいし、また飛沫回収案内板を備えていない脱臭装置であってもよい。
【００９５】
が飛沫回収案内板によって脱臭処理液の液面に導かれて脱臭処理液に回収されるようになり、脱臭対象ガスの排気流路に飛沫が付着堆積することによる汚れが抑制され、流路が閉塞するような事態の発生が回避できるようになる。
【００９６】
上述した実施形態は本発明の一態様であり、該記載により本発明が限定されるものではなく、各部の具体的な構造、サイズ、材料などは本発明の作用効果が奏される範囲で適宜変更設計可能であることはいうまでもない。
【符号の説明】
【００９７】
５０：脱臭装置
５１：処理槽
５１Ａ：脱臭処理部
５１Ｂ：飛沫除去部
５１Ｃ：排気部
５１Ｄ：排液部
５３：ガス導入室
５４：気液混合室
５２Ｂ，５２Ｄ：気液混合仕切壁
５２Ｇ：遮断壁
５２Ｉ：溢流壁
５５Ａ，５５Ｂ：整流機構
【図１】
2019084509.tif 000003
【図２】
2019084509.tif 000004
【図３】
2019084509.tif 000005
【図４】
2019084509.tif 000006
【図５】
2019084509.tif 000007
【図６】
2019084509.tif 000008